(57)【特許請求の範囲】
【請求項１】
枠状でかつ矩形の基部と、前記基部の枠内に配置され、一方の主面に光を反射させるミラー面が形成され、他方の主面に一対の第１電極が形成された矩形板状のミラー部と、前記ミラー部の前記第１電極が形成されていない２つの辺の中央でそれぞれ前記基部に連結し、かつ前記ミラー部を所定の角度範囲で回動可能に支持するトーションバー部とを含むミラー基板と、
前記ミラー基板に対向配置され、当該ミラー基板との対向面の前記一対の第１電極に対向する位置に一対の第２電極が形成された電極基板とを有し、
前記第１電極と前記第２電極との間に電圧を印加することにより、両電極間に生じる静電引力によって前記ミラー部を前記トーションバー部の軸芯周りに微小角度回動させるガルバノマイクロミラーであって、
前記電極基板は、前記ミラー部の中心に対応する位置に、前記トーションバー部の軸芯を中心とするほぼ線対称の形状を有する貫通孔が１個形成されるとともに、当該貫通孔の周辺の位置に、前記一対の第２電極が前記トーションバー部の軸芯を中心とするほぼ線対称の形状を有するように形成されていることを特徴とする、ガルバノマイクロミラー。
【請求項２】
前記ミラー部の一方の主面の前記第１電極に対応する位置に第３電極を形成し、前記ミラー面への入射光および反射光を遮らない位置に、前記電極基板および前記ミラー基板に対して相対的に固定された支持部を設け、前記支持部に、前記第３電極に対向する第４電極を形成したことを特徴とする、請求項１に記載のガルバノマイクロミラー。
【請求項３】
前記第１電極、前記第２電極、前記第３電極、および前記第４電極は、それぞれ１対の電極板からなり、
前記各１対の電極板は、一方の電極板と他方の電極板とが、前記トーションバー部の軸芯の両側に分かれて配置されており、
前記第１電極の各電極板と前記第３電極の各電極板とは、互いに電気的に接続されており、
前記第２電極の一方の電極板と前記第４電極の他方の電極板とに同時に電圧を印加するか、あるいは前記第２電極の他方の電極板と前記第４電極の一方の電極板とに同時に電圧を印加することにより、前記ミラー部に回転トルクを作用させる、請求項２に記載のガルバノマイクロミラー。
【請求項４】
前記第１電極、前記第２電極、前記第３電極、および前記第４電極は、それぞれ１対の電極板からなり、
前記各１対の電極板は、一方の電極板と他方の電極板とが、前記トーションバー部の軸芯の両側に分かれて配置されており、
前記第２電極の各電極板と前記第４電極の各電極板とは、互いに電気的に接続されており、
前記第１電極の一方の電極板と前記第３電極の他方の電極板とに同時に電圧を印加するか、あるいは前記第１電極の他方の電極板と前記第３電極の一方の電極板とに同時に電圧を印加することにより、前記ミラー部に回転トルクを作用させる、請求項２に記載のガルバノマイクロミラー。
【請求項５】
前記第１電極と前記第２電極との間に電圧を印加することにより生じる静電引力の前記ミラー部と平行な方向の分力が、前記第３電極と前記第４電極との間に電圧を印加することにより生じる静電引力の前記ミラー部と平行な方向の分力によって相殺される構成とした、請求項２ないし４のいずれかに記載のガルバノマイクロミラー。
【請求項６】
前記ミラー部の回動を所定範囲に規制して前記第１電極と前記第２電極との接触を防止するストッパを設けた、請求項１に記載のガルバノマイクロミラー。
【請求項７】
前記ミラー部の回動を所定範囲に規制して、前記第１電極と前記第２電極との接触、および前記第３電極と前記第４電極との接触を防止するストッパを設けた、請求項２ないし５のいずれかに記載のガルバノマイクロミラー。
【請求項８】
前記ストッパは、前記電極基板に突設されている、請求項６または７に記載のガルバノマイクロミラー。
【発明の詳細な説明】
【０００１】
【発明の属する技術分野】
本発明は、たとえば光ディスク装置などに用いられて、光ビームの照射位置を制御する、静電駆動方式のガルバノマイクロミラーに関する。
【０００２】
【従来の技術】
従来の一般的な静電駆動方式のガルバノマイクロミラーは、たとえば「シリコン  トーショナル  スキャンニング  ミラー(Sillicon Torsional Scanning Mirror)」（ＩＢＭ  Ｊ．ＲＥＳ．ａｎｄ  ＤＥＶＥＬＯＰ．，Ｖｏｌ．２４，Ｎｏ．５，Ｓｅｐ．１９８０）に開示されている。このガルバノマイクロミラーは、図１２および図１３に示すように、電極基板１００と、その上に位置するミラー基板１０２とを備えている。ミラー基板１０２は、枠状の基部１０４と、一方の主面にミラー面１０６ａが形成されたミラー部１０６と、基部１０４とミラー部１０６とを連結し、ミラー部１０６を回動可能に支持するトーションバー部１０８とを備えている。ミラー部１０６の他方の主面には、１対の電極板１１０ａ，１１０ｂからなる第１電極が形成されている。電極基板１００には、第１電極の電極板１１０ａ，１１０ｂに対向する１対の電極板１１２ａ，１１２ｂからなる第２電極が形成されている。電極基板１００には、ミラー部１０６に当接する直線状で断面山形の突起１００ａが一体に突設されており、この突起１００ａの稜線は、トーションバー部１０８の軸芯に沿っている。
【０００３】
このガルバノマイクロミラーは、第１電極の一方の電極板１１０ａと第２電極の一方の電極板１１２ａとの間に電圧を印加することにより、静電引力によってミラー部１０６が図１３において反時計回りの方向に回動する。また、第１電極の他方の電極板１１０ｂと第２電極の他方の電極板１１２ｂとの間に電圧を印加することにより、静電引力によってミラー部１０６が図１３のように時計回りの方向に回動する。このような静電引力は電極面積に比例することから、より低電圧で駆動するために、電極板１１０ａ，１１０ｂからなる第１電極は、ミラー部１０６の他方の主面のほぼ全面にわたって形成されており、その大きさに応じて第２電極の電極板１１２ａ，１１２ｂの大きさが決定されていた。
【０００４】
しかし、このような一般的なガルバノマイクロミラーでは、ミラー部１０６を駆動したときに、ミラー部１０６と電極基板１００との間に存在する空気の粘性の影響でダンピングが発生し、ミラー部１０６を正確かつ迅速に制御することが困難であった。
【０００５】
そこで、電極基板のミラー部との対向面に多数の溝を形成することにより、ダンピングの軽減を図ったガルバノマイクロミラーが提案されている（たとえば特開平９−１４６０３４号公報参照）。
【０００６】
しかし、このようなガルバノマイクロミラーでは、溝の形成のために製造プロセスが複雑になることから、製造効率の低下などに起因して製造コストが上昇してしまう。また、単に溝を形成する構成では、ダンピングの軽減効果に限界があり、充分良好にダンピングを軽減させることができなかった。
【０００７】
また、上記従来の一般的なガルバノマイクロミラーでは、第１電極の一方の電極板１１０ａと第２電極の一方の電極板１１２ａとの間に電圧を印加したとき、および第１電極の他方の電極板１１０ｂと第２電極の他方の電極板１１２ｂとの間に電圧を印加したときに、静電引力の水平方向成分すなわちミラー部１０６と平行な方向の成分によって、ミラー部１０６が横滑りすることがあった。このような横滑りは、ミラー部１０６の姿勢を不確定に変化させる結果となり、所望の制御精度を得られなくなってしまう。
【０００８】
そこで、ミラー部の他方の主面に、トーションバー部の軸芯に沿う一直線状の溝を形成するとともに、電極基板に断面山形の突出部を一直線状に突設し、ミラー部の溝に電極基板の突出部を嵌め込むことにより、ミラー部の横滑り防止を図ったガルバノマイクロミラーが提案されている（たとえば特開平５−１１９２８０号公報参照）。
【０００９】
しかし、このようなガルバノマイクロミラーでは、溝および突出部の位置や寸法などを高精度に形成する必要があり、このために製造コストが上昇してしまう。
【００１０】
【発明の開示】
本発明は、上記した事情のもとで考え出されたものであって、製造コストの上昇を極力抑えつつ、ダンピングの発生を良好に防止できるガルバノマイクロミラーを提供することを、その課題とする。
【００１１】
さらに本発明は、製造コストの上昇を極力抑えつつ、ミラー部の横滑りを良好に防止できるガルバノマイクロミラーを提供することを、他の課題とする。
【００１２】
上記の課題を解決するため、本発明では、次の技術的手段を講じている。
【００１３】
本発明の第１の側面によれば、枠状でかつ矩形の基部と、基部の枠内に配置され、一方の主面に光を反射させるミラー面が形成され、他方の主面に一対の第１電極が形成された矩形板状のミラー部と、ミラー部の第１電極が形成されていない２つの辺の中央でそれぞれ基部に連結し、かつミラー部を所定の角度範囲で回動可能に支持するトーションバー部とを含むミラー基板と、ミラー基板に対向配置され、当該ミラー基板との対向面の一対の第１電極に対向する位置に一対の第２電極が形成された電極基板とを有し、第１電極と第２電極との間に電圧を印加することにより、両電極間に生じる静電引力によってミラー部をトーションバー部の軸芯周りに微小角度回動させるガルバノマイクロミラーであって、電極基板は、ミラー部の中心に対応する位置に、トーションバー部の軸芯を中心とするほぼ線対称の形状を有する貫通孔が１個形成されるとともに、当該貫通孔の周辺の位置に、一対の第２電極がトーションバー部の軸芯を中心とするほぼ線対称の形状を有するように形成されていることを特徴とする、ガルバノマイクロミラーが提供される。
【００１４】
好ましい実施の形態によれば、ミラー部の一方の主面の第１電極に対応する位置に第３電極を形成し、ミラー面への入射光および反射光を遮らない位置に、電極基板およびミラー基板に対して相対的に固定された支持部を設け、支持部に、第３電極に対向する第４電極を形成した。
【００１７】
他の好ましい実施の形態によれば、第１電極、第２電極、第３電極、および第４電極は、それぞれ１対の電極板からなり、各１対の電極板は、一方の電極板と他方の電極板とが、トーションバー部の軸芯の両側に分かれて配置されており、第１電極の各電極板と第３電極の各電極板とは、互いに電気的に接続されており、第２電極の一方の電極板と第４電極の他方の電極板とに同時に電圧を印加するか、あるいは第２電極の他方の電極板と第４電極の一方の電極板とに同時に電圧を印加することにより、ミラー部に回転トルクを作用させる。
【００１８】
他の好ましい実施の形態によれば、第１電極、第２電極、第３電極、および第４電極は、それぞれ１対の電極板からなり、各１対の電極板は、一方の電極板と他方の電極板とが、トーションバー部の軸芯の両側に分かれて配置されており、第２電極の各電極板と第４電極の各電極板とは、互いに電気的に接続されており、第１電極の一方の電極板と第３電極の他方の電極板とに同時に電圧を印加するか、あるいは第１電極の他方の電極板と第３電極の一方の電極板とに同時に電圧を印加することにより、ミラー部に回転トルクを作用させる。
【００１９】
他の好ましい実施の形態によれば、第１電極と第２電極との間に電圧を印加することにより生じる静電引力のミラー部と平行な方向の分力が、第３電極と第４電極との間に電圧を印加することにより生じる静電引力のミラー部と平行な方向の分力によって相殺される構成とした。
【００２０】
他の好ましい実施の形態によれば、ミラー部の回動を所定範囲に規制して第１電極と第２電極との接触を防止するストッパを設けた。
【００２１】
他の好ましい実施の形態によれば、ミラー部の回動を所定範囲に規制して、第１電極と第２電極との接触、および第３電極と第４電極との接触を防止するストッパを設けた。
【００２２】
他の好ましい実施の形態によれば、ストッパは、電極基板に突設されている。
【００２３】
本発明によれば、電極基板のミラー部との対向面の一部に、電極基板を厚み方向に貫通する貫通孔を形成したので、製造コストの上昇を極力抑えつつ、ダンピングの発生を良好に防止できる。
【００２４】
すなわち、電極基板の厚みは、電極基板とミラー部との間隙に比べて相当に大きいので、電極基板とミラー部との間の容積との比較において貫通孔自体が相当に大きな容積を有することになり、しかも、貫通孔は実質的に無限の大きさと考えられる空間に連通していることから、ミラー部の駆動時におけるダンピングの発生を良好に防止できるのである。しかも、電極基板に単に貫通孔を形成するだけであるので、電極基板とミラー部との対向面に多数の溝を形成するというような複雑な製造プロセスを要しないことから、製造コストの上昇を極力抑えることができる。
【００２５】
また本発明によれば、ミラー部の一方の主面に、第３電極を形成し、ミラー面への入射光および反射光を遮らない位置に、電極基板およびミラー基板に対して相対的に固定された支持部を設け、支持部に、第３電極に対向する第４電極を形成したので、第３電極と第４電極との間に電圧を印加することにより生じる静電引力が、第１電極と第２電極との間に電圧を印加することにより生じる静電引力に起因してミラー部に作用する回転トルクを増加させることから、製造コストの上昇を極力抑えつつ、ミラー部の横滑りを良好に防止でき、しかも、装置の小型化や駆動電圧の低減を実現できる。
【００２６】
すなわち、第３電極と第４電極との間に電圧を印加することにより生じる静電引力のミラー基板と平行な方向の成分によって、第１電極と第２電極との間に電圧を印加することにより生じる静電引力のミラー基板と平行な方向の成分を相殺することが可能になるので、ミラー部の横滑りを良好に防止できる。また、単に第３電極および第４電極を形成するだけであり、電極基板やミラー部に一直線状の突出部や溝を高精度に形成する必要がないので、製造コストの上昇を極力抑えることができる。さらには、第３電極と第４電極との間に電圧を印加することにより生じる静電引力が、第１電極と第２電極との間に電圧を印加することにより生じる静電引力に起因してミラー部に作用する回転トルクを増加させるので、装置の小型化や駆動電圧の低減を実現できる。
【００２７】
本発明のその他の特徴および利点は、添付図面を参照して以下に行う詳細な説明によって、より明らかとなろう。
【００２８】
【発明の実施の形態】
以下、本発明の好ましい実施の形態を、添付図面を参照して具体的に説明する。
【００２９】
図１は、本発明に係るガルバノマイクロミラーの分解斜視図であって、このガルバノマイクロミラーは、電極基板２と、ミラー基板４とを備えている。ミラー基板４は、シリコンあるいはアルミニウムなどから構成されており、枠状でかつ矩形の基部６と、矩形板状のミラー部８と、基部６とミラー部８とを連結し、かつミラー部８を所定の角度範囲で回動可能に支持する１対のトーションバー部１０とを備えている。
【００３０】
ミラー部８の一方の主面には、高反射率の膜によりミラー面１２が形成されており、ミラー部８の他方の主面には、１対の矩形の電極板１４ａ，１４ｂからなる第１電極が形成されている。ミラー基板４は、トーションバー部１０の軸芯を中心とする線対称の構成である。
【００３１】
電極基板２のミラー部８との対向面には、矩形の貫通孔１６と、１対の電極板１８ａ，１８ｂからなる第２電極とが形成されている。第２電極の一方の電極板１８ａは、第１電極の一方の電極板１４ａに対向しており、第２電極の他方の電極板１８ｂは、第１電極の他方の電極板１４ｂに対向している。貫通孔１６は、トーションバー部１０の軸芯を中心とする線対称の形状である。第２電極の電極板１８ａと電極板１８ｂとは、貫通孔１６の近傍に位置しており、トーションバー部１０の軸芯を中心とするほぼ線対称の形状である。
【００３２】
第１電極の電極板１４ａと電極板１４ｂとは、電気的に互いに接続され、接地されている。第２電極の電極板１８ａと電極板１８ｂとは、電気的に互いに絶縁され、図外の制御装置に接続されている。これらの電極板１４ａ，１４ｂ，１８ａ，１８ｂは、露出表面に絶縁皮膜が形成されている。
【００３３】
図２は、ミラー部８の平面図、図３は、ミラー部８の正面図であって、ミラー面１２は、ミラー部８の一方の主面のほぼ全域にわたって形成されている。第１電極の電極板１４ａと電極板１４ｂとは、ミラー部８の他方の主面の両端部に各別に形成されており、トーションバー部１０の軸芯と平行に延びている。電極板１４ａと電極板１４ｂとは、トーションバー部１０の軸芯を中心とする線対称の形状である。
【００３４】
本実施形態において、ミラー部８の寸法は、縦横それぞれ２ｍｍ、厚さが３００μｍである。トーションバー部１０の寸法は、長さ５００μｍ、幅１５μｍ、厚さ５０μｍである。ミラー部８が回動していない状態において、ミラー部８と電極基板２との間隙は１０μｍである。第１電極の電極板１４ａおよび電極板１４ｂの寸法は、各々長さがほぼ２ｍｍ、幅が１５０μｍである。ミラー部８は、トーションバー部１０の軸芯を中心として、±０．１度程度の範囲で傾斜角度を制御される。
【００３５】
次に動作を説明する。第２電極の一方の電極板１８ａに正あるいは負の電圧を印加すると、第１電極の一方の電極板１４ａは接地されているので、電極板１４ａと電極板１８ａとの間に静電引力が作用する。ここで、ミラー部８はトーションバー部１０により支持されているので、ミラー部８には、図３において反時計回りの方向の回転トルクが作用することになる。この結果、トーションバー部１０が捻じれ、ミラー部８がトーションバー部１０の軸芯を中心として図３において反時計回りの方向に回動する。このときの回転角度は、静電引力に起因してミラー部８に作用する回転トルクと、捻じれに対するトーションバー部１０の対抗力との関係によって決定される。すなわち、ミラー部８の回転角度は、電極板１８ａに印加する電圧が高いほど大きくなる。したがって、電極板１８ａに印加する電圧を可変させることによって、ミラー部８の回転角度を任意に制御できる。このようにミラー部８の回転角度を制御することにより、ミラー部８のミラー面１２に入射する光ビームの反射方向を可変させて、光ビームの照射位置を任意に制御できるのである。
【００３６】
上記の説明から当然に類推されるように、第２電極の他方の電極板１８ｂに正あるいは負の電圧を印加した場合には、ミラー部８がトーションバー部１０の軸芯を中心として図３において時計回りの方向に回動することになる。
【００３７】
ミラー部８と電極基板２との間の間隙は極僅かであるので、ミラー部８が回動すると、空気が圧縮および膨張され、空気の粘性によってダンピングが発生することになる。もちろん、ガルバノマイクロミラーが空気以外の充填ガス雰囲気中に存在する場合でも、その充填ガスの粘性によりダンピングが発生する。ダンピングが発生すると、ミラー部８の回転角度を迅速かつ高精度に制御することが困難になる。ダンピングの影響は、たとえばミラー部８を短い周期で往復回動させるような場合に、特に大きい。しかし、電極基板２には貫通孔１６が形成されているので、ダンピングの発生が良好に抑制される。すなわち、ミラー部８と電極基板２との間の間隙に比べて、電極基板２の厚みは充分に大きいことから、貫通孔１６の体積が大きく、この容量だけでもダンピングの発生を良好に抑制できる。しかも、貫通孔１６はガルバノマイクロミラーの外部に連通しているので、空気が自由に出入りできることから、ダンピングの発生を実質的に無視できる程度にまで抑制できる。
【００３８】
ここで、貫通孔１６を形成したことによる電極板１８ａ，１８ｂの面積の減少によって生じる、ミラー部８の回動に対する影響について考察する。平行平板電極間に作用する静電引力Ｆは、電極間の媒質の誘電率をε、電極面積をＡ、印加電圧をＶ、電極間距離をＤとすると、下記数式１で表される。
【００３９】
【数１】
0003993343.tif 000002
【００４０】
静電引力Ｆがたとえば電極板１４ａと電極板１８ａとの間に作用した場合、ミラー部８に作用する回転トルクＴは、トーションバー部１０の軸芯からの距離をＬとすると、下記数式２で表される。
【００４１】
【数２】
0003993343.tif 000003
【００４２】
上記数式２から明らかなように、ミラー部８に作用する回転トルクＴは、トーションバー部１０の軸芯からの距離が大きいほど大きくなる。
【００４３】
すなわち、貫通孔１６を形成したことにより、電極基板２の中央部分には、第２電極の電極板１８ａ，１８ｂを形成することができず、この結果第１電極の電極板１４ａ，１４ｂの面積も小さくなるが、この部分はトーションバー部１０の軸芯からの距離が小さい部分であるので、ミラー部８に作用する回転トルクＴへの寄与率が小さい。
【００４４】
具体的には、本実施形態では電極板１４ａ，１４ｂの幅が各々１５０μｍであり、ミラー部８の他方の主面の全面に電極板を形成した場合と比較して、僅か１５パーセントの面積比であるが、５０パーセント以上の回転トルクが得られる。このように、大きな面積の貫通孔１６を形成しても、ミラー部８に作用する回転トルクが極度に低下するということはない。
【００４５】
図４は、別の実施形態におけるガルバノマイクロミラーの分解斜視図であって、図１に示す構成要素と同一の機能を有する構成要素には同一の符号を付している。このように、電極基板２に円形の貫通孔１６を形成してもよい。このようにすれば、電極基板２の面積を大きくすることなく、貫通孔１６の周辺に形成する第２電極の電極板１８ａ，１８ｂの面積を大きくできるので、ガルバノマイクロミラーを大型化させることなく、ミラー部８に作用する回転トルクを大きくでき、あるいは電極板１８ａ，１８ｂへの印加電圧を低くできる。
【００４６】
貫通孔１６は、楕円形あるいは長円形であってもよい。
【００４７】
図５は、さらに別の実施形態におけるガルバノマイクロミラーの断面図であって、図１に示す構成要素と同一の機能を有する構成要素には同一の符号を付している。このように、ミラー部８の一方の主面に、１対の電極板２２ａ，２２ｂからなる第３電極を設け、これら電極板２２ａ，２２ｂに、第４電極を構成する１対の電極板２４ａ，２４ｂを対向配置してもよい。すなわち、ミラー基板４の上に、開口部２６を有する矩形枠状の支持部２８を設け、この支持部２８に電極板２４ａ，２４ｂを形成するのである。支持部２８の開口部２６は、ミラー面１２への入射光および反射光を通過させるために形成されている。電極板２２ａ，２２ｂの大きさは、電極板１４ａ，１４ｂと同じであり、電極板１４ａ，１４ｂと電極板２２ａ，２２ｂとは、ミラー部８を挟んで対向している。
【００４８】
第３電極の一方の電極板２２ａと他方の電極板２２ｂとは、電気的に互いに接続され、接地されている。第４電極の一方の電極板２４ａと他方の電極板２４ｂとは、電気的に互いに絶縁され、図外の制御装置に接続されている。これらの電極板２２ａ，２２ｂ，２４ａ，２４ｂは、電極板１４ａ，１４ｂ，１８ａ，１８ｂと同様に、露出表面に絶縁皮膜が形成されている。
【００４９】
このガルバノマイクロミラーにおいては、電極板１８ａに電圧を印加する場合、同じ電圧を電極板２４ｂにも印加する。このようにすれば、電極板２４ｂと電極板２２ｂとの間に静電引力が作用し、これによりミラー部８に、トーションバー部１０の軸芯を中心とする回転トルクが作用する。この回転トルクの方向は、図５からも明らかなように、電極板１８ａと電極板１４ａとの間の静電引力に起因してミラー部８に作用する回転トルクと同じ方向である。したがって、電極板２２ｂおよび電極板２４ｂを設けない場合と比較して、ミラー部８に作用する回転トルクが増加する。換言すれば、同じ回転トルクを発生させる場合に、電極板１８ａに印加する電圧を低減させることができ、あるいは、電極板１８ａ，１４ａの面積を減少させてガルバノマイクロミラーの小型化を図ることができる。たとえば、印加電圧が同じ場合は回転トルクを２倍にでき、回転トルクが同じ場合は印加電圧を２の平方根分の１倍にできる。
【００５０】
さらに、ミラー部８の横すべりをなくすことができる。この理由について、図６および図７を参照しながら説明する。図６は、図１に示すガルバノマイクロミラーのミラー部８に作用する静電引力の説明図であり、図７は、図５に示すガルバノマイクロミラーのミラー部８に作用する静電引力の説明図である。なお、図６および図７において、分力Ｆｘ，Ｆｙを示す矢印は、力の方向を示しているものであって、矢印の長さが力の大きさを表すものではない。
【００５１】
電極板１８ａに電圧を印加すると、電極板１８ａと電極板１４ａとの間に静電引力が作用するが、この静電引力によってミラー部８に働く力は、ミラー部８と平行な方向の分力Ｆｘと垂直な方向の分力Ｆｙとを有している。このため、図６の場合には、ミラー部８と平行な方向の分力Ｆｘによってミラー部８が図６の左方向に引っ張られ、横すべりを生じる。
【００５２】
一方、図７のように、電極板１８ａと同時に電極板２４ｂに電圧を印加すると、電極板２４ｂと電極板２２ｂとの間に静電引力が作用する。この静電引力によってミラー部８に働く力のうち、ミラー部８と平行な方向の分力Ｆｘは、電極板１８ａと電極板１４ａとの間に作用する静電引力に起因して生じた分力Ｆｘと同じ大きさで、向きが逆方向である。したがって、これら両者が相殺し、ミラー部８にはミラー部８と平行な方向の力が働かないことになり、ミラー部８の横すべりをなくすことができる。もちろん、ミラー部８と垂直な方向の分力Ｆｙについては、両者が協働してミラー部８を回動させることになる。
【００５３】
もちろん、電極板１８ｂと同時に電極板２４ａに電圧を印加する場合にも、上記と同様の理由により、回転トルクの増加および横すべりの防止を図ることができる。
【００５４】
図８および図９は、図５に示すガルバノマイクロミラーにおけるミラー基板４の製造プロセスの説明図である。
【００５５】
ミラー基板４の製造に際しては、先ず、図８の（Ａ）のように、シリコンからなるウェハ５２を用意する。
【００５６】
次に（Ｂ）のように、ウェハ５２の一方の主面および他方の主面に、全面にわたって酸化膜５４ａ，５４ｂを形成する。
【００５７】
次に（Ｃ）のように、酸化膜５４ａの表面に、レジスト膜５６ａをパターン形成する。このパターンは、基部６とミラー部８とトーションバー部１０とを形成するためのものである。また酸化膜５４ｂの表面に、全面にわたってレジスト膜５６ｂを形成する。そしてエッチングにより、酸化膜５４ａ，５４ｂのうちレジスト膜５６ａ，５６ｂによって覆われていない部分を除去する。
【００５８】
次に（Ｄ）のように、レジスト膜５６ａ，５６ｂを除去し、異方性エッチングにより、ウェハ５２のうち酸化膜５４ａ，５４ｂによって覆われていない部分に溝を形成する。
【００５９】
次に（Ｅ）のように、ウェハ５２の一方の主面および他方の主面の全面にわたって、新たな酸化膜５８ａ，５８ｂを形成する。
【００６０】
次に（Ｆ）のように、酸化膜５８ａ，５８ｂの表面に、全面にわたって金属膜６０ａ，６０ｂを形成する。
【００６１】
次に、図９の（Ｇ）のように、金属膜６０ａの表面に、レジスト膜６２ａをパターン形成する。このパターンは、ミラー面１２と電極板２２ａ，２２ｂとを形成するためのものである。また金属膜６０ｂの表面に、全面にわたってレジスト膜６２ｂを形成する。そしてエッチングにより、金属膜６０ａ，６０ｂのうちレジスト膜６２ａ，６２ｂによって覆われていない部分を除去する。
【００６２】
次に、（Ｈ）のように、レジスト膜６２ａ，６２ｂを除去し、金属膜６０ａの表面に、全面にわたって新たなレジスト膜６４ａを形成する。また金属膜６０ｂの表面に、新たなレジスト膜６４ｂをパターン形成する。このパターンは、電極板１４ａ，１４ｂを形成するためのものである。そしてエッチングにより、金属膜６０ａ，６０ｂのうちレジスト膜６４ａ，６４ｂによって覆われていない部分を除去する。
【００６３】
次に、（Ｉ）のように、レジスト膜６４ａ，６４ｂを除去し、酸化膜５８ａおよび金属膜６０ａの露出表面に全面にわたって新たなレジスト膜６６ａを形成する。また酸化膜５８ｂおよび金属膜６０ｂの露出表面に、新たなレジスト膜６６ｂをパターン形成する。このパターンは、基部６とミラー部８とトーションバー部１０とを形成するためのものである。そしてエッチングにより、酸化膜５８ａ，５８ｂのうちレジスト膜６６ａ，６６ｂによって覆われていない部分を除去する。
【００６４】
次に、（Ｊ）のように、レジスト膜６６ａ，６６ｂを除去し、異方性エッチングにより、ウェハ５２の他方の主面に溝を形成する。この溝の深さは、酸化膜５８ａに到達するまでとする。
【００６５】
次に、（Ｋ）のように、エッチングにより、酸化膜５８ａの不要部分を除去する。かくして、図５に示すガルバノマイクロミラーにおけるミラー基板４が完成する。すなわち、金属膜６０ａによってミラー面１２と電極板２２ａ，２２ｂとが実現され、金属膜６０ｂによって電極板１４ａ，１４ｂが実現される。また、ウェハ５２と酸化膜５８ａ，５８ｂとによって、ミラー基板４の本体部分が実現される。
【００６６】
図１０は、さらに別の実施形態におけるガルバノマイクロミラーの断面図であって、図１および図５に示す構成要素と同一の機能を有する構成要素には同一の符号を付している。このように、電極基板２に１対の直線状の突出部を一体に突設し、これらの突出部によりストッパ３２ａ，３２ｂを構成してもよい。
【００６７】
このようにすれば、ストッパ３２ａにより、電極板１４ａと電極板１８ａとの衝突、および電極板２２ｂと電極板２４ｂとの衝突を防ぐことができる。また、ストッパ３２ｂにより、電極板１４ｂと電極板１８ｂとの衝突、および電極板２２ａと電極板２４ａとの衝突を防ぐことができる。したがって、電極板同士の衝突による損傷や吸着を良好に防止できる。
【００６８】
すなわち、電極板１４ａと電極板１８ａとの間に作用する静電引力、および電極板２２ｂと電極板２４ｂとの間に作用する静電引力は、電極間ギャップが小さくなるほど増大する。このため、ミラー部８の傾斜角が瞬間的に大きくなり過ぎる事態が生じたとき、静電引力の増大によって制御不能となり、電極板同士が接触（ｐｕｌｌ−ｉｎ）してしまう事態が稀に発生する。このように電極板同士が接触すると、電極板の損傷や、電極板を覆う絶縁皮膜の損傷に起因する電気的な短絡や、電極板同士の吸着などが発生することがあるが、このような事態の発生をストッパ３２ａ，３２ｂにより良好に防止できるのである。
【００６９】
もちろん、ストッパ３２ａ，３２ｂの形状は特に限定されるものではなく、列状に配置された複数の突出部によりストッパ３２ａ，３２ｂを構成してもよい。また、ストッパ３２ａ，３２ｂは、支持部２８あるいはミラー部８に設けてもよい。
【００７０】
図１１は、さらに別の実施形態におけるガルバノマイクロミラーの断面図であって、図１および図５に示す構成要素と同一の機能を有する構成要素には同一の符号を付している。このように、電極基板２から断面Ｌ字状の１対の突出部を突設し、これらの突出部により支持部２８を構成してもよい。この実施形態においては、電極板１４ａと電極板２２ａとが一体に形成されており、電極板１４ｂと電極板２２ｂとが一体に形成されている。なお、上記支持部２８は、もちろん、ミラー基板４の基部６に突設してもよい。
【００７１】
なお、上記各実施形態においては、貫通孔１６を１個設けたが、貫通孔１６を複数個設けてもよい。
【００７２】
また、上記各実施形態においては、第１電極の電極板１４ａ，１４ｂを接地し、第２電極の電極板１８ａ，１８ｂに電圧を印加したが、電極板１８ａ，１８ｂを接地し、電極板１４ａ，１４ｂに電圧を印加してもよい。
【００７３】
また、上記第３実施形態以降においては、第３電極の電極板２２ａ，２２ｂを接地し、第４電極の電極板２４ａ，２４ｂに電圧を印加したが、電極板２４ａ，２４ｂを接地し、電極板２２ａ，２２ｂｂ電圧を印加してもよい。
【００７４】
また、上記第３実施形態以降においては、各電極の一方の電極板１４ａ，１８ａ，２２ａ，２４ａと他方の電極板１４ｂ，１８ｂ，２２ｂ，２４ｂとを、互いに同一の形状および寸法にすることにより、静電引力に起因してミラー部８に作用するミラー部８と平行な方向の分力Ｆｘを相殺するように構成したが、一方の電極板１４ａ，１８ａ，２２ａ，２４ａと他方の電極板１４ｂ，１８ｂ，２２ｂ，２４ｂとを互いに同一の形状および寸法にすることなく、電極間ギャップなどの他の要因を適切に設定して、静電引力に起因してミラー部８に作用するミラー部８と平行な方向の分力Ｆｘを相殺するように構成してもよい。
【００７５】
すなわち本発明は、以下のような構成の各ガルバノマイクロミラーを当然に包含する。
【００７６】
貫通孔は、矩形である、請求項４に記載のガルバノマイクロミラー。
【００７７】
貫通孔は、楕円形である、請求項４に記載のガルバノマイクロミラー。
【００７８】
楕円形には、真円も含まれる。
【００７９】
第１電極、第２電極、第３電極、および第４電極は、それぞれ１対の電極板からなり、各１対の電極板は、一方の電極板と他方の電極板とが、トーションバー部の軸芯を中心とするほぼ線対称の形状に形成されている、請求項７に記載のガルバノマイクロミラー。
【００８０】
支持部は、枠状である、請求項２ないし７のいずれかに記載のガルバノマイクロミラー。
【００８１】
支持部は、１対の支持部材からなり、各支持部材は、断面Ｌ字状である、請求項２ないし７のいずれかに記載のガルバノマイクロミラー。
【００８２】
【発明の効果】
以上説明したように、本発明によれば、電極基板のミラー部との対向面の一部に、電極基板を厚み方向に貫通する貫通孔を形成したので、製造コストの上昇を極力抑えつつ、ダンピングの発生を良好に防止できる。
【００８３】
また本発明によれば、ミラー部の一方の主面に、第３電極を形成し、ミラー面への入射光および反射光を遮らない位置に、電極基板およびミラー基板に対して相対的に固定された支持部を設け、支持部に、第３電極に対向する第４電極を形成したので、第３電極と第４電極との間に電圧を印加することにより生じる静電引力が、第１電極と第２電極との間に電圧を印加することにより生じる静電引力に起因してミラー部に作用する回転トルクを増加させることから、製造コストの上昇を極力抑えつつ、ミラー部の横滑りを良好に防止でき、しかも、装置の小型化や駆動電圧の低減を実現できる。
【図面の簡単な説明】
【図１】本発明に係るガルバノマイクロミラーの分解斜視図である。
【図２】図１に示すガルバノマイクロミラーに備えられたミラー部の平面図である。
【図３】図１に示すガルバノマイクロミラーに備えられたミラー部の正面図である。
【図４】別の実施形態におけるガルバノマイクロミラーの分解斜視図である。
【図５】さらに別の実施形態におけるガルバノマイクロミラーの断面図である。
【図６】図１に示すガルバノマイクロミラーのミラー部に作用する静電引力の説明図である。
【図７】図５に示すガルバノマイクロミラーのミラー部に作用する静電引力の説明図である。
【図８】図５に示すガルバノマイクロミラーにおけるミラー基板の製造プロセスの説明図である。
【図９】図５に示すガルバノマイクロミラーにおけるミラー基板の製造プロセスの説明図である。
【図１０】さらに別の実施形態におけるガルバノマイクロミラーの断面図である。
【図１１】さらに別の実施形態におけるガルバノマイクロミラーの断面図である。
【図１２】従来の一般的なガルバノマイクロミラーの平面図である。
【図１３】従来の一般的なガルバノマイクロミラーの断面図である。
【符号の説明】
２  電極基板
４  ミラー基板
６  基部
８  ミラー部
１０  トーションバー部
１２  ミラー面
１４ａ，１４ｂ  電極板
１６  貫通孔
１８ａ，１８ｂ  電極板
２２ａ，２２ｂ  電極板
２４ａ，２４ｂ  電極板
２６  開口部
２８  支持部
３２ａ，３２ｂ  ストッパ
【図１】
0003993343.tif 000004
【図２】
0003993343.tif 000005
【図３】
0003993343.tif 000006
【図４】
0003993343.tif 000007
【図５】
0003993343.tif 000008
【図６】
0003993343.tif 000009
【図７】
0003993343.tif 000010
【図８】
0003993343.tif 000011
【図９】
0003993343.tif 000012
【図１０】
0003993343.tif 000013
【図１１】
0003993343.tif 000014
【図１２】
0003993343.tif 000015
【図１３】
0003993343.tif 000016